【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
表示装置と、
前記表示装置に第１の画像データを送信する第１の端末装置と、
前記表示装置に第２の画像データを送信する第２の端末装置と、を備え、
前記表示装置は、
前記第１の画像データ及び前記第２の画像データを受信する通信部と、
前記通信部が受信した前記第１の画像データに基づく第１の画像と、前記通信部が受信した前記第２の画像データに基づく第２の画像とを表示する表示部と、
前記第１の画像及び前記第２の画像の少なくとも一方の表示面積を変更する表示制御部と、を備え、
前記第１の端末装置は、変更された前記第１の画像の表示面積に応じて決定されるデータ量で、前記第１の画像データを前記表示装置に送信し、
前記第２の端末装置は、変更された前記第２の画像の表示面積に応じて決定されるデータ量で、前記第２の画像データを前記表示装置に送信する表示システム。
【請求項２】
前記表示制御部は、前記第１の画像の表示面積を変更した場合に、変更後の前記第１の画像の表示面積を示す情報を前記第１の端末装置に送信し、前記第２の画像の表示面積を変更した場合に、変更後の前記第２の画像の表示面積を示す情報を前記第２の端末装置に送信し、
前記第１の端末装置は、前記表示装置から受信した前記第１の画像の表示面積を示す情報に基づき、前記表示装置に送信する前記第１の画像データのデータ量を制御する第１制御部を備え、
前記第２の端末装置は、前記表示装置から受信した前記第２の画像の表示面積を示す情報に基づき、前記表示装置に送信する前記第２の画像データのデータ量を制御する第２制御部を備える請求項１記載の表示システム。
【請求項３】
前記表示制御部は、前記第１の画像の表示面積を変更した場合に、変更後の前記第１の画像の表示面積に基づき、前記第１の端末装置が前記表示装置に送信する前記第１の画像データのデータ量を決定して前記第１の端末装置に通知し、
前記第２の画像の表示面積を変更した場合に、変更後の前記第２の画像の表示面積に基づき、前記第２の端末装置が前記表示装置に送信する前記第２の画像データのデータ量を決定して前記第２の端末装置に通知する請求項１記載の表示システム。
【請求項４】
前記表示制御部は、前記第１の画像の表示面積を変更するごとに、変更後の前記第１の画像の表示面積を示す情報を前記第１の端末装置に送信し、
前記第２の画像の表示面積を変更するごとに、変更後の前記第２の画像の表示面積を示す情報を前記第２の端末装置に送信する請求項２記載の表示システム。
【請求項５】
前記表示制御部は、前記第１の画像の表示面積を変更するごとに、変更後の前記第１の画像の表示面積に基づき、前記第１の端末装置が前記表示装置に送信する前記第１の画像データのデータ量を決定して前記第１の端末装置に通知し、
前記第２の画像の表示面積を変更するごとに、変更後の前記第２の画像の表示面積に基づき、前記第２の端末装置が前記表示装置に送信する前記第２の画像データのデータ量を決定して前記第２の端末装置に通知する請求項３記載の表示システム。
【請求項６】
前記表示部は、前記第１の画像及び前記第２の画像を表示面の表示領域に表示し、
前記表示制御部は、前記第１の画像の表示面積を変更した場合に、前記表示領域全体の面積と、前記表示領域に表示される前記第１の画像の表示面積とを示す情報を前記第１の端末装置に送信し、前記第２の画像の表示面積を変更した場合に、前記表示領域全体の面積と、前記表示領域に表示される前記第２の画像の表示面積とを示す情報を前記第２の端末装置に送信し、
前記第１制御部は、前記表示装置から受信した前記表示領域全体の面積と、前記第１の画像の表示面積とを示す情報に基づき、前記表示領域全体の面積と、前記第１の画像の表示面積との面積比により前記表示装置に送信する前記第１の画像データのデータ量を決定し、
前記第２制御部は、前記表示装置から受信した前記表示領域全体の面積と、前記第２の画像の表示面積との面積比により前記表示装置に送信する前記第２の画像データのデータ量を決定する請求項２又は４に記載の表示システム。
【請求項７】
前記第１制御部は、前記第１の画像データのデータ量が決定した前記データ量となるように、前記第１の画像データの解像度を変換又はフレームレートを変換し、
前記第２制御部は、前記第２の画像データのデータ量が決定した前記データ量となるように、前記第２の画像データの解像度を変換又はフレームレートを変換する請求項６記載の表示システム。
【請求項８】
前記表示部は、前記第１の画像及び前記第２の画像を表示面に表示し、
前記表示制御部は、前記第１の画像の表示面積を変更した場合に、前記表示領域全体の面積と、前記第１の画像の表示面積との面積比に基づき、前記第１の端末装置が前記表示装置に送信する前記第１の画像データのデータ量を決定し、
前記第２の画像の表示面積を変更した場合に、前記表示領域全体の面積と、前記第２の画像の表示面積との面積比に基づき、前記第２の端末装置が前記表示装置に送信する前記第２の画像データのデータ量を決定する請求項３又は５に記載の表示システム。
【請求項９】
前記第１の端末装置は、前記表示装置に送信する前記第１の画像データのデータ量を制御する第１制御部を備え、
前記第２の端末装置は、前記表示装置に送信する前記第２の画像データのデータ量を制御する第２制御部を備え
前記第１制御部は、前記第１の画像データのデータ量が、前記表示装置から通知されたデータ量となるように前記第１の画像データの解像度を変換又はフレームレートを変換し、
前記第２制御部は、前記第２の画像データのデータ量が、前記表示部から通知されたデータ量となるように前記第２の画像データの解像度を変換又はフレームレートを変換する請求項８記載の表示システム。
【請求項１０】
第１の端末装置及び第２の端末装置と通信を行う通信部と、
前記第１の端末装置から受信した第１の画像データに基づく第１の画像、及び前記第２の端末装置から受信した第２の画像データに基づく第２の画像を表示させる表示部と、
前記第１の画像及び前記第２の画像の少なくとも一方の表示面積を変更する表示制御部と、を備え、
前記表示制御部は、前記第１の画像の表示面積を変更した場合に、変更した前記第１の画像の表示面積を示す情報を前記第１の端末装置に送信し、前記第２の画像の表示面積を変更した場合に、変更した前記第２の画像の表示面積を示す情報を前記第２の端末装置に送信する表示装置。
【請求項１１】
第１の端末装置及び第２の端末装置と通信を行うステップと、
前記第１の端末装置から受信した第１の画像データに基づく第１の画像、及び前記第２の端末装置から受信した第２の画像データに基づく第２の画像を表示させるステップと、
表示された前記第１の画像及び前記第２の画像の少なくとも一方の表示面積を変更するステップと、
前記第１の画像の表示面積が変更された場合に、変更された前記第１の画像の表示面積を示す情報を前記第１の端末装置に送信するステップと、
前記第２の画像の表示面積が変更された場合に、変更された前記第２の画像の表示面積を示す情報を前記第２の端末装置に送信するステップと、
を有する表示装置の制御方法。
【請求項１２】
コンピューターに、
第１の端末装置から受信した第１の画像データに基づく第１の画像と、第２の端末装置から受信した第２の画像データに基づく第２の画像とを表示させる手順と、
表示された前記第１の画像及び前記第２の画像の少なくとも一方の表示面積を変更する手順と、
前記第１の画像の表示面積が変更された場合に、変更された前記第１の画像の表示面積を示す情報を前記第１の端末装置に送信する手順と、
前記第２の画像の表示面積が変更された場合に、変更された前記第２の画像の表示面積を示す情報を前記第２の端末装置に送信する手順と、
を実行させるためのプログラム。
【手続補正２】
【補正対象書類名】明細書
【補正対象項目名】０００９
【補正方法】変更
【補正の内容】
【０００９】
また、本発明は、前記表示制御部は、前記第１の画像の表示面積を変更するごとに、変更後の前記第１の画像の表示面積に基づき、前記第１の端末装置が前記表示装置に送信する前記第１の画像データのデータ量を決定して前記第１の端末装置に通知し、前記第２の画像の表示面積を変更するごとに、変更後の前記第２の画像の表示面積に基づき、前記第２の端末装置が前記表示装置に送信する前記第２の画像データのデータ量を決定して前記第２の端末装置に通知する。
本発明によれば、表示装置が、画像の表示面積を変更すると、変更した表示面積に応じたデータ量を決定して端末装置に通知する。従って、画像の表示面積が変更されても、端末装置が表示装置に送信する画像データのデータ量を、変更された画像の表示面積に応じた適切な量に調整することができる。
【手続補正３】
【補正対象書類名】明細書
【補正対象項目名】００２７
【補正方法】変更
【補正の内容】
【００２７】
表示制御部１４１は、モニターやディスプレイ等の表示部１４２に接続され、表示部１４２に画像を表示させるための表示信号を生成して表示部１４２に出力する。
【手続補正４】
【補正対象書類名】明細書
【補正対象項目名】００６４
【補正方法】変更
【補正の内容】
【００６４】
また、制御部２７０は、画面設定情報を受信すると（ステップＳ９／ＹＥＳ）、受信した画面設定情報に基づいて表示情報を生成する。制御部２７０は、受信した画面設定情報に基づいて、各分割領域のフレームメモリー２５７上でのサイズや表示位置を示す情報を表示情報として生成する。制御部２７０は、表示情報を生成すると、生成した表示情報を使用して、各分割領域の表示画素領域での表示面積を算出する（ステップＳ１０）。各分割領域の表示面積を算出すると、制御部２７０は、分割領域の表示面積と、液晶パネル２１５の表示画素領域全体の面積との比を、分割領域ごとに算出する（ステップＳ１１）。そして、制御部２７０は、算出した各分割領域の面積比を、各分割領域に表示する画像データをプロジェクター２００に送信するＰＣ１００に送信する（ステップＳ１２）。
きる。